(57)【要約】【課題】清拭の品質及び効率を向上できるクリーニング装置を提供する。【解決手段】本体２０は、側面に第一開口２０１が設けられ、内部に第一収納空間２００が設けられ、別の側面には第二開口２０２が設けられ、第二開口２０２が内部へ延伸して第二収納空間２０４が形成されている。クリーニングピース２２は、一端が第一収納空間２００内に定位され、他端が本体２０の外に露出している。フード２４は、側面に収納溝２４０が設けられ、側面が第一開口２０１と連接可能である。クリーナボトル２６は、第二収納空間２０４内に収納され、ボトル２６１及びスプレー部２６３が連接し、スプレー部２６３にはスプレーノズル２６４が設けられている。カバー２８は、側面に第三開口２８０が設けられ、別の側面には孔２８２が設けられ、第三収納空間２８３が設けられている。【選択図】図２
0003147212.tif 000002
【実用新案登録請求の範囲】
【請求項１】
側面に第一開口が設けられ、内部の前記第一開口に対応する位置には第一収納空間が設けられ、前記第一開口に近隣する別の側面には第二開口が設けられ、前記第二開口は内部へ延伸し、並びに第二収納空間が形成されている本体と、
弾力性を備える発泡綿により形成され、かつ圧縮可能であり、一端は前記第一収納空間内に定位され、他の一端は前記本体の外に露出されるクリーニングピースと、
側面に収納溝が設けられ、かつ側面は前記第一開口と互いに連接可能であり、前記クリーニングピースの他の一端を内部に収納し、完全に遮蔽可能なフードと、
前記第二開口を経由して前記第二収納空間内に収納され、ボトル及びプッシュ可能なスプレー部が連接してなり、前記ボトル内にはクリーニング液を装填可能であり、かつ前記スプレー部には前記ボトル内のクリーニング液を噴出するためのスプレーノズルが設けられているクリーナボトルと、
側面に第三開口が設けられ、前記第三開口に近隣する別の側面には孔が設けられ、内部の前記第三開口に対応する位置には第三収納空間が設けられ、かつ前記第三収納空間は更に前記孔に連結され、それの一側面は前記本体の前記第二開口に連接し、並びに前記第二収納空間で上下に移動可能であり、前記クリーナボトルの前記スプレー部は前記第三開口を通りぬいて前記第三収納空間内に収納され、かつ前記スプレーノズルは前記孔の位置に対応しているカバーと、
を備えることを特徴とするクリーニング装置。
【請求項２】
前記本体の前記第二開口に対応する位置に第四開口が設けられていることを特徴とする請求項１記載のクリーニング装置。
【請求項３】
更に透明な支え座を備え、前記支え座の一側面には凹溝が設けられ、かつ前記支え座の一側面は前記第四開口と互いに連接し、前記クリーナボトルを前記凹溝内に据え置くことが可能であることを特徴とする請求項２記載のクリーニング装置。
【請求項４】
前記第一開口の対応両側面は、それぞれ前記本体から離れる位置に挟み片が設けられ、二枚の前記挟み片の内縁にはそれぞれ少なくとも一本の突起筋が設けられ、二枚の前記挟み片の外縁かつ互いに対応する位置にはそれぞれ嵌め込み孔が設けられていることを特徴とする請求項１または請求項３記載のクリーニング装置。
【請求項５】
前記フードの前記収納溝の溝口縁には互いに対応する二つの嵌め付け塊が設けられ、かつ二つの前記嵌め付け塊は二つの前記嵌め込み孔と互いに嵌め付けられることを特徴とする請求項４記載のクリーニング装置。
【請求項６】
前記クリーニングピースは、発泡綿層、及び前記発泡綿層の外縁に覆い被さるスポンジ層を含むことを特徴とする請求項５記載のクリーニング装置。
【請求項７】
前記クリーニングピースの前記発泡綿層は、縦方向軸の中央位置に沿って貫通孔が設けられていることを特徴とする請求項６記載のクリーニング装置。
【請求項８】
前記カバーの前記第三開口及び前記孔に近隣するもう一つの側面には定位突起リブが設けられ、前記スプレー部がまだプッシュされていない状態において、前記定位突起リブは前記本体の前記第二開口の一側周縁に当て付けられることを特徴とする請求項７記載のクリーニング装置。
【請求項９】
前記カバー内の前記第三開口から離れるもう一つの側面にはＣ形に現れる定位円弧が設けられ、前記スプレー部が前記カバー内に収納されている状態において、前記スプレー部は前記定位円弧に取り巻かれ、かつ前記定位円弧の欠け口は前記カバーの前記孔と互いに連通することを特徴とする請求項８記載のクリーニング装置。
【考案の詳細な説明】
【技術分野】
【０００１】
本考案は、クリーニング装置に関するもので、特に、クリーニングピース及びクリーナボトルはともに一体に統合され、使用者はクリーニング装置を使って便利にクリーニングを行うことができるものを指す。
【背景技術】
【０００２】
今の人々が品物を清拭する場合、その多くは、手にクリーニング液の瓶を持ち、先ず清拭したい品物にクリーニング液をスプレーし、それから、雑巾を取り出して品物を拭いて清拭を行う。ここで液晶ディスプレー（ｄｉｓｐｌａｙ）（ＬＣＤ）の清拭を例として説明すると、一般的に、液晶ディスプレーはやや軽くて薄いので、使用者が液晶ディスプレーの表面にクリーニング液をスプレーしてそれを清拭する場合、通常は、片方の手で液晶ディスプレーを支え、他の手の雑巾でそれを拭く。使用者が更にクリーニング液をスプレーする場合、再びクリーナボトルを探して持ち上げてスプレーを行うので、クリーナボトルを使用者から遠い場所に置くことができず、そのために、使用者はクリーナボトルにぶつかって仕事環境を汚染し、液晶ディスプレーを清拭する便利さを低下しないように注意しなければならず、かつ繰り返しクリーナボトルを探す動作は使用者の清拭時の面倒を増やすことになる。また、前述清拭方法は、使用者の拭く過程において、クリーニング液が雑巾内にしみこむので、クリーニング液中の化学物質が使用者の手と直接接触し、使用者の皮膚に対して傷害を起こしやすい。かつクリーナボトルと雑巾とは別々になっており、使用者はそれを使い終わったら、通常はクリーナボトルと雑巾を別々に収納するので、次に清拭を行う場合、時間をかけてクリーナボトルと雑巾を探し出さなければならず、使用者に対して大きな困りごとになる。
【０００３】
近年では、清拭型クリーナボトルが提案されている。図１に示すように、クリーナボトル１０、固定板１２、クリーニングピース１４及びカバー１６を含む。クリーナボトル１０の一端にはネック（ｎｅｃｋ）部１０１が設けられ、ネック部１０１の中央位置には、クリーナボトル１０内のクリーニング液がネック部１０１を経由して流れ出すための開口１０２が設けられている。固定板１２はネック部１０１に固定され、かつ固定板１２の開口１０２に対応する位置には液案内プラグ１２０が設けられ、液案内プラグ１２０にはクリーニング液が液案内プラグ１２０から流れ出すための複数箇の小さい孔を備える。また、固定板１２のクリーナボトル１０に背向く一側面には、二枚の固定片１２２が設けられ、二枚の固定片１２２はそれぞれ液案内プラグ１２０に近隣する周縁箇所に位置する。また、クリーニングピース１４は発泡綿であり、かつクリーニングピース１４には二つの隙間１４０が設けられている。クリーニングピース１４が固定板１２の一側面に取り付けられたら、二枚の固定片１２２はそれぞれ二つの隙間１４０に嵌め込まれ、クリーニングピース１４は固定板１２に固定される。このように、使用者が液晶ディスプレーを清拭する場合は、直接クリーナボトル１０を圧搾し、クリーナボトル１０内のクリーニング液が順番に開口１０２及び液案内プラグ１２０を経由してクリーニングピース１４内に滲み透すので、クリーニングピース１４を用いて清拭を行うことが便利になり、かつ清拭が終わったら、カバー１６を用いてクリーニングピース１４に被せ、収納を便利にする。ところが、クリーニング液がクリーニングピース１４の固定板１２に近隣する一側面からクリーニングピース１４の他の側面に滲み透してから、使用者はクリーニングピース１４を用いて清拭を行うことができ、かつクリーニング液が滲み透す過程において、クリーニング液は逐次クリーニングピース１４のすべての容積に拡散するので、クリーニング液の過度な無駄使いになってしまう。また、使用者が清拭の過程において、手が不覚に力を出してクリーナボトル１０を押し付けるので、クリーニング液は絶えずクリーナボトル１０から流れ出し、液晶ディスプレーに多くのクリーニング液が残ってしまい、液晶ディスプレーの乾燥の速度が遅くなり、かつ空気中のごみが再度付着しやすくなり、清拭の効果が低下する。
上述から分かるように、従来の雑巾または上記清拭型クリーナボトルにはともに多くの欠点が存在して、使用者の清拭効果を悪くするので、如何にしてクリーニング装置を設計し、上記問題を解決することが、現在の設計及び製造業者が即時に解決しようとする重要な課題である。
【考案の開示】
【考案が解決しようとする課題】
【０００４】
従来のクリーニング装置の使用が不便で、収納が難しく、または、クリーニング液を多く無駄使いする等の多くの欠点を具えることに鑑み、本考案の考案者は、長期間の研究と実験を経て、遂に本考案のクリーニング装置を開発設計したが、本考案の出現によって前記問題を有効に解決することを希望する。
本考案の一つの目的は、便利性が大幅に向上するクリーニング装置を提供することにある。
【０００５】
本考案の別の目的は、適当にクリーナボトルを交換し、または、クリーニング液を補填するクリーニング装置の提供である。
本考案のもう一つの目的は、クリーニング液の無駄使いにならず、使用者が清拭の過程において、手がクリーニング液に直接接触することが避けられ、使用者の清拭の品質及び効率を向上することができるクリーニング装置の提供である。
【課題を解決するための手段】
【０００６】
本考案は、クリーニング装置の一種である。本体は、側面に第一開口が設けられ、内部の第一開口に対応する位置には第一収納空間が設けられ、第一開口に近隣する別の側面には第二開口が設けられ、第二開口はそれの内部へ延伸し、並びに第二収納空間が形成されている。クリーニングピースは、弾力性を備える発泡綿製品で、かつ圧縮可能であり、それの一端は第一収納空間内に定位され、他の一端は本体の外に露出される。フードは、側面に収納溝が設けられ、かつ側面は第一開口と互いに連接可能であり、それによって、クリーニングピースの他の一端はそれの内部に収納され、並びに完全に遮蔽される。クリーナボトルは、第二開口を経由して第二収納空間内に収納され、ボトル及びプッシュ可能なスプレー部が連接してなり、ボトル内にはクリーニング液を装填可能であり、かつスプレー部にはボトル内のクリーニング液を噴出するためのスプレーノズルが設けられている。カバーは、側面に第三開口が設けられ、第三開口に近隣する別の側面には孔が設けられ、内部の第三開口に対応する位置には第三収納空間が設けられ、かつ第三収納空間は更に孔に連結され、それの一側面は本体の第二開口に連接し、並びに第二収納空間で上下に移動可能である。クリーナボトルのスプレー部は第三開口を通りぬいて第三収納空間内に収納され、かつスプレーノズルは孔の位置に対応していることを特徴とするクリーニング装置である。
【０００７】
本考案は、クリーニング装置を提供するもので、本体を含み、本体の一側面には第一開口が設けられ、第一開口は本体内へ延伸して第一収納空間を形成する。本体の第一開口に近隣する別の側面には第二開口が設けられ、第二開口は本体内へ延伸し、並びに第二収納空間を形成する。また、クリーニングピースは圧縮可能で、クリーニングピースの一端は第一開口を通りぬいて第一収納空間内に定位され、他の一端は本体の外に露出している。また、第一開口はフードの一側面と互いに連接し、それによって、クリーニングピースの他の一端はフードに設けられている収納溝内に収納され、並びにフードに完全に遮蔽される。更に、第二収納空間はクリーナボトルを収納することができ、クリーナボトルはボトル及びプッシュ可能なスプレー部が連接してなる。ボトル内にはクリーニング液を装填することができ、かつスプレー部にはボトル内のクリーニング液を噴出するためのスプレーノズル（ｎｏｚｚｌｅ）が設けられている。また、第二開口はカバーの一側面と互いに連接し、かつカバーの一側面には第三開口が設けられ、スプレー部は第三開口を通りぬいてカバーに設けられている第三収納空間内に収納される。また、第三開口に近隣する別の側面には孔が設けられ、孔は第三収納空間と互いに連通し、並びにスプレー部のスプレーノズルと互いに対応し、かつカバーは第二収納空間に向かって上下に移動することができる。このように使用者がクリーニング装置を用いて清拭を行う場合、孔を清拭したい品物に向けてカバーを押せば、スプレー部は、スプレーノズルを通じてボトル内のクリーニング液を品物上にスプレーし、それから、クリーニングピースによって品物を清拭することができる。清拭が終わると、使用者はフードをクリーニングピースに覆い被せることができ、使用者のクリーニング装置を操作する便利性は大幅に向上する。
【０００８】
本考案は、本体の第二開口に対応する位置に更に第四開口が設けられ、かつ第四開口は透明な支え座と互いに連接して、クリーナボトルは支え座内に収納され、このように使用者は支え座を通じてクリーナボトル内に残ったクリーニング液を見ることができ、それによって、適当にクリーナボトルを交換し、または、クリーニング液を補填するクリーニング装置の提供である。
【０００９】
本考案は、クリーニングピース及びクリーナボトルはともに本体内に位置し、使用者にクリーニング装置の収納を便利にするだけでなく、かつ使用者が清拭の過程において、他にクリーナボトルを置く場所を探さないでよく、または、清拭の過程において、不意にクリーナボトルに当たり、環境汚染になることを心配しなくてよい。または、本考案のクリーナボトルによって使用者は片手でクリーニング液のスプレー及び拭く動作を完了することができ、かつクリーニング液は直接品物にスプレーされるので、クリーニング液の無駄使いにならず、クリーニングピースの一端は本体内にあるので、使用者が清拭の過程において、手がクリーニング液に直接接触することが避けられ、使用者の清拭の品質及び効率を向上することができるクリーニング装置の提供である。
【考案を実施するための最良の形態】
【００１０】
以下、本発明の実施形態を図面に基づいて説明する。
（第１実施形態）
本考案は、クリーニング装置の一種に関わるもので、品物表面の汚れの清拭に用いられ、本考案の第１実施形態において、図２に示すように、クリーニング装置２は、本体２０、クリーニングピース２２、フード２４、クリーナボトル２６及びカバー２８を備える。本体２０の一側面には第一開口２０１が設けられ、本体２０内の第一開口２０１に対応する位置には第一収納空間２００が設けられている。第一開口２０１の対応両側面はそれぞれ本体２０から離れる位置に挟み片２０３が延伸して設けられ、二枚の挟み片２０３の内縁にはそれぞれ二本の突起筋２０３１が設けられている。本考案の他の実施形態において、前記突起筋は二本に限定されない。前記突起筋は一本以上であればよい。二枚の挟み片２０３の外縁かつ互いに対応する位置にはそれぞれ嵌め込み孔２０３２が設けられ（図２では片方だけの嵌め込み孔２０３２を示す）、かつ本体２０の第一開口２０１に近隣する別の側面には第二開口２０２が設けられ、第二開口２０２は本体２０内へ延伸し、並びに第二収納空間２０４を形成する。第一収納空間２００と第二収納空間２０４との間には隔て板２０５が設けられ、それによって、第一収納空間２００と第二収納空間２０４とは互いに通じなくなる。本考案の他の実施形態において、コストまたは製造過程によって第一収納空間と第二収納空間との間に隔て板を設けず、互いに通じるようにしてもよい。また、クリーニングピース２２は、弾力性を備える発泡綿製品であり、発泡綿層２２１及びスポンジ層２２２を含む。スポンジ層２２２は、発泡綿層２２１の外縁を覆い包み、それによって、鏡面のように精細な品物の表面を拭いた場合に傷がつかない。かつクリーニングピース２２は圧縮可能で、クリーニングピース２２の一端は、第一開口２０１を通りぬいて第一収納空間２００内に定位され、並びに二枚の挟み片２０３の突起筋２０３１に挟まれ、他の一端は本体２０外に露出される。使用者は、クリーニングピース２２の他の一端をもって清拭を行うことができる。また、フード２４の一側面には収納溝２４０が設けられ、収納溝２４０の溝口縁の対応する位置にはそれぞれ嵌め付け塊２４２が設けられている。フード２４の一側面と第一開口２０１とが互いに連接した場合、二つの嵌め付け塊２４２はそれぞれ二つの嵌め込み孔２０３２内に嵌め込まれ、それによって、フード２４は本体２０に固定され、かつクリーニングピース２２の他の一端は収納溝２４０内に収納される。このように使用者が清拭の作業を完成すれば、フード２４を用いてクリーニングピース２２の他の一端を完全に遮蔽し、クリーニング装置２の収納時に空気中の塵芥がクリーニングピース２２に付着し、次の清拭時に汚れを完全に拭き払うことができず、クリーニング装置２の清拭効果に影響することを防止する。
【００１１】
また、本実施形態において、図２及び図３に示すように、クリーニングピース２２の横断面は円形に現れ、かつ縦方向軸に沿った中央位置には貫通孔２２４が設けられている。クリーニングピース２２が圧縮されて変形した場合（図３の矢印に示す如く）、貫通孔２２４は変形した空間を提供しているので、クリーニングピース２２全体が受ける応力は比較的均一であり、貫通孔２２４の両端の位置だけがやや大きな応力を受けて（図３中の点線円に示す如く）、クリーニングピース２２は永久変形を生じにくく、かつ回復力を維持することができるので、クリーニングピース２２が長期間使用されても、二枚の挟み片２０３に緊密に挟まれ、変形が生じることによってクリーニングピース２２が脱落することがない。かつクリーニングピース２２の外に露出している部分が汚れた場合、使用者はクリーニングピース２２を取り出してそれの方向を変え、クリーニングピース２２のきれいな部分を本体２０の外へ露出させ、クリーニングピース２２の使用時間を増やしてもよい。本考案の他の実施形態において、コスト考慮または製造過程を簡略化するために、クリーニングピースに貫通孔を設けず、または、クリーニングピースの横断面形状を円形にしないで、他の形状（例えば、矩形、波浪形等）にしてもよい。
【００１２】
また、図２に示すように、クリーナボトル２６は、ボトル２６１及びプッシュ可能なスプレー部２６３が連接してなり、ボトル２６１内にはクリーニング液を装填することができる。かつスプレー部２６３にはスプレーノズル２６４が設けられ、使用者がスプレー部２６３を押すと、ボトル２６１内のクリーニング液をスプレーノズル２６４から噴出することができる。また、クリーナボトル２６のボトルは第二開口２０２を経由して第二収納空間２０４内に収納され、かつスプレー部２６３は本体２０外に露出しているので、スプレー部２６３はクリーニング液をスプレーする過程において本体２０に阻止されない。また、カバー２８の一側面に第三開口２８０が設けられ、第三開口２８０の別の側面には孔２８２が設けられ、カバー２８内には第三収納空間２８３が設けられ、かつ第三収納空間２８３は第三開口２８０及び孔２８２に連通する。また、図２及び図４に示すように、カバー２８の第三開口２８０及び孔２８２に近隣する他の一側面には定位突起リブ２８５が設けられている。カバー２８の一側面が本体２０の第二開口２０２に連接した場合、カバー２８の一側面は第二収納空間２０４内で上下に移動することができる。かつクリーナボトル２６のスプレー部２６３は第三開口２６０を通りぬいて第三収納空間２８３内に収納され、並びにスプレーノズル２６４は孔２８２の位置に対応する。使用者はカバー２８を通じてスプレー部２６３を押すことができ、ボトル２６１内のクリーニング液は順番にスプレーノズル２６４及び孔２８２を経由してスプレーされる。また、スプレー部２６３がまだプッシュされていない場合、カバー２８の定位突起リブ２８５は本体２８の第二開口２０２の一側縁に当て付けられて、カバー２８は本体２０に定位される。それによって、使用者がクリーニング装置２を持ち損なって、カバー２８が本体２０の外に脱落し、使用者を困らせることがない。
【００１３】
このように、使用者がクリーニング装置２で清拭を行う場合、孔２８２を清拭したい品物に向けてカバー２８をプッシュするだけで、スプレー部２６３はボトル２６１内のクリーニング液を、スプレーノズル２６４を通じて品物にスプレーし、クリーニングピース２２を用いて品物を拭き、清拭の便利さが向上する。かつ使用者はクリーニング液を直接品物にスプレーするので、クリーニング液の無駄使い、または、品物上に多くのクリーニング液が溜まって乾燥しにくいことにならない。また、使用者は本体２０を持って清拭を行い、直接クリーニングピース２２を持たないので、使用者の両手がクリーニング液に接触して傷害を起こすことはなく、使用者の清拭効率及び安全性を向上することができる。使用者がクリーニング装置２を使い終わったら、フード２４でクリーニングピース２２を遮蔽し、クリーニングピース２２の収納時に空気中のごみがつき、次の清拭時に清拭の効果が発揮できないことを避ける。
【００１４】
（第２実施形態）
本考案の第２実施形態において、図５に示すように、クリーニング装置３は、本体３０、クリーニングピース３２、フード３４、クリーナボトル３６、カバー３８及び支え座３９を備える。本体３０の一側面には第一開口３０１が設けられ、かつ第一開口３０１の対応両側面は本体３０から離れる方向にそれぞれ挟み片３０３が延伸して設けられ、二枚の挟み片３０３の内縁にはそれぞれ突起筋３０３１が設けられている。これにより、クリーニングピース３２の一端は第一開口３０１を経由して本体３０内に収納され、並びに二枚の挟み片３０３に挟まれる。また、クリーニングピース３２の他の一端は本体３０の外に露出し、クリーニングピース３２の横断面が波浪形に現れるので、クリーニングピース３２の一端が本体３０内に置かれた場合、図面中の点線に示す如く、二本の突起筋３０３１はクリーニングピース３２の凹陥個所に位置する。これにより、クリーニングピース３２と二本の突起筋３０３１が接触する位置の受ける応力は小さくなり、クリーニングピース３２が長時間に挟まれて永久変形が起こる状況が避けられる。クリーニングピース３２はよりよい回復力を備えるだけでなく、更にクリーニングピース３２は二本の突起筋３０３１によって、使用者の清拭過程において、脱落しにくくなる。尚かつクリーニングピース３２の露出部分が汚れた場合、使用者はクリーニングピース３２を取り出して方向を変えてやり、クリーニングピース３２の本来きれいな部分を露出させ、クリーニングピース３２の使用時間を長くすることができる。また、本体３０の一側面はフード３４の一側面と互いに連接し、それによって、クリーニングピース３２の他の一端はフード３４内に収納され、かつフード３４に遮蔽される。また、本体３０の第一開口３０１に近隣する別の側面には第二開口３０２が設けられている。クリーナボトル３６は第二開口３０２を経由して本体内に収納され、かつ第二開口３０２はカバー３８の一側面と互いに連接して、クリーナボトル３６のスプレー部３６３はカバー３８内に収納される。カバー３８の一側面にはスプレー部３６３を通すための第三開口３８０が設けられ、カバー３８内の第三開口３８０から離れる別の一側面にはＣ形に現れる定位円弧３８１が設けられている。スプレー部３６３がカバー３８内に収納される場合、スプレー部３６３は定位円弧３８１に取り巻かれ、また、定位円弧３８１の欠け口はカバー３８の別の側面に設けられている孔３８２と互いに連通する。こうすれば、スプレー部３６３に設けられているスプレーノズル３６４は孔３８２に正確に対応することができ、使用者が本体３０を揺り動かしても、孔３８２から離れなくなる。また、本体３０の第二開口３０２に対応する位置には第四開口３０６が設けられ、第四開口３０６は支え座３９の一側面と連接している。支え座３９の一側面にはクリーナボトル３６のボトル３６１を置くための凹溝３９０が設けられ、かつ支え座３９は透明な材質であるので、使用者は支え座３９を通じてクリーナボトル３６内に残ったクリーニング液の量を判ることができ、使用者がクリーナボトル３６の交換を行い、または、クリーニング液をクリーナボトル３６に補填することが便利になる。
【００１５】
このように、本実施形態のクリーニング装置によれば、使用者が時間を費やしてクリーナボトルまたはクリーニングピースを探すことが省かれ、かつ清拭の過程において、クリーニング液は直接品物の表面にスプレーされ、先にクリーニングピースに浸み込んでから清拭を行うものではないので、クリーニング液を節約して無駄使いにならない。かつクリーニング装置を使い終わったら、フードを用いてクリーニングピースを遮蔽し、それの収納が便利になり、尚かつクリーニングピースが空気中の塵芥に汚染されず、使用者によりよいクリーニング装置の選択を提供することができる。
以上に述べたのは本考案の最適実施形態だけであり、本考案が主張する権利範囲はこれに局限されず、およそこの技術を熟知するものが本考案に開示された技術内容により、軽易に思い及べる同等効果の変更はすべて本考案の保護範囲に属するものである。
【図面の簡単な説明】
【００１６】
【図１】従来の清拭型クリーナボトルを示す分解斜視図である。
【図２】本考案の第１実施形態によるクリーニング装置を示す分解斜視図である。
【図３】本考案の第１実施形態によるクリーニング装置のクリーニングピースの変形を示す模式図である。
【図４】本考案の第１実施形態によるクリーニング装置の局部を示す断面図である。
【図５】本考案の第２実施形態によるクリーニング装置を示す分解斜視図である。
【符号の説明】
【００１７】
２：クリーニング装置、３：クリーニング装置、２０：本体、２２：クリーニングピース、２４：フード、２６：クリーナボトル、２８：カバー、３０：本体、３２：クリーニングピース、３４：フード、３６：クリーナボトル、３８：カバー、３９：支え座、２００：第一収納空間、２０１：第一開口、２０２：第二開口、２０３：挟み板、２０４：第二収納空間、２０５：隔て板、２２１：発泡綿層、２２２：スポンジ層、２２４：貫通孔、２４０：収納溝、２４２：嵌め付け塊、２６１：ボトル、２６３：スプレー部、２６４：スプレーノズル、２８０：第三開口、２８２：孔、２８３：第三収納空間、２８５：定位突起リブ、３０１：第一開口、３０２：第二開口、３０３：挟み板、３０６：第四開口、３６１：ボトル、３６３：スプレー部、３６４：スプレーノズル、３８０：第三開口、３８１：定位円弧、３８２：孔、３９０：凹溝、２０３１：突起筋、３０３１：突起筋、２０３２：嵌め込み孔
【図１】
0003147212.tif 000003
【図２】
0003147212.tif 000004
【図３】
0003147212.tif 000005
【図４】
0003147212.tif 000006
【図５】
0003147212.tif 000007